(57)【特許請求の範囲】
【請求項１】
光源（１６）；
光源の光路内に位置し、関連する更新フレーム速度を有する第１の空間光変調器手段（１８）から成る表示用動的パターン発生装置が、
第１の空間光変調器手段（１８）からの光の通路に位置して、変調光をガイドするための中継光学手段（２２）、及び
前記中継光学手段（２２）からのガイドされた光の光路に位置して、表示用実画像を発生し、関連する読出フレーム速度を有する第２の空間光変調器手段（２４）を有し、
第１の空間光変調器手段（１８）の更新フレーム速度が第２の空間光変調器手段（２４）の読出フレーム速度よりも高く、
前記第２の空間光変調器手段（２４）は、前記第１の空間光変調器手段（１８）により光学的にアドレス指定可能な双安定性の光変調層を有する光変調器であって、前記第１の空間光変調器手段（１８）によりアドレス指定され電圧を印加された前記光変調層の領域に書き込まれたパターンを、電圧除去後も維持することを特徴とする装置。
【請求項２】
前記第１の空間光変調器手段（１８）が、前記光源から前記中継光学手段（２２）への複数の変調光源を作り出すよう構成されている請求項１記載の装置。
【請求項３】
前記第１の空間光変調器手段（１８）が複数の空間光変調器から成る請求項１記載の装置。
【請求項４】
前記第一の空間光変調器手段（１８）が、電気的にアドレス指定可能である請求項１乃至３何れかに記載の装置。
【請求項５】
前記中継光学手段（２２）が第１の空間光変調器手段（１８）から第２の空間光変調器手段（２４）に、所定のパターンで変調光をガイドする請求項１乃至４何れかに記載の装置。
【請求項６】
前記中継光学手段（２２）がこれによってガイドされた光の位相を変調する請求項１乃至５何れかに記載の装置。
【請求項７】
前記中継光学手段（２２）がレンズ手段から成る請求項１乃至６何れかに記載の装置。
【請求項８】
前記レンズ手段が、独立したレンズの配列から成る請求項７記載の装置。
【請求項９】
前記中継光学手段（２２）がビームスプリッタ又はビーム操縦器から成る請求項１乃至８何れかに記載の装置。
【請求項１０】
前記中継光学手段が、シャドーマスクを含む請求項１乃至９何れかに記載の装置。
【請求項１１】
前記第１の空間光変調器手段（１８）からの変調光が、前記中継光学手段（２２）によって、第２の空間光変調器手段（２４）の位置において、複製される請求項１乃至１０何れかに記載の装置。
【請求項１２】
前記変調光の複製が複数の画像から成る請求項１１記載の装置。
【請求項１３】
前記中継光学手段（２２）が、複製された変調光を時系列的に前記第２の空間光変調器手段（２４）の所定の部分にガイドする請求項１１又は１２記載の装置。
【請求項１４】
前記第１の空間光変調器手段（１８）上に表示することの出来る画素の数が、前記第２の空間光変調器手段（２４）上に表示することができる画素の数よりも少ない請求項１乃至１３何れかに記載の装置。
【請求項１５】
前記第２の空間光変調器手段が強誘電体液晶光変調器である請求項１乃至１４何れかに記載の装置。
【請求項１６】
前記光源が非干渉性光又は複数の光源である請求項１乃至１５何れかに記載の装置。
【請求項１７】
光源（１６）を設け、そして、この光源からの光を、関連する更新フレーム速度を有する第１の空間変調器手段を通過させるか、又は、この手段から反射させることを有する表示用動的画像を発生する方法が、
変調光の光路に設置された中継光学手段（２２）を介して変調光を、第２の空間変調器手段（２４）にガイドし、前記第２の空間光変調器手段（２４）が前記第１の空間光変調器に関連する更新フレーム速度よりも低い関連する読出フレーム速度を有し、第２の空間光変調器手段（２４）から実画像又はパターンを提供するにあたり、
前記第２の空間光変調器手段（２４）は、前記第１の空間光変調器手段（１８）により光学的にアドレス指定可能な双安定性の光変調層を有する光変調器であって、前記第１の空間光変調器手段（１８）によりアドレス指定され電圧を印加された前記光変調層の領域に書き込まれたパターンを、電圧除去後も維持することを特徴とする方法。
【発明の詳細な説明】
【０００１】
本発明は、表示用動的画像の生成光学系に関し、特に、限定的でないが、ホログラフィーに使用する液晶ディスプレイ素子を使用している光学系に関する。
【０００２】
画像処理において人間の頭脳により使用される深さの感覚信号のすべてを有する物体の実際的三次元画像を生成するために、ホログラフィー法を使用することが永い間知られてきた。習慣的に、実際の三次元物体が、ホログラフィーの生成において既知の方法により使用されている。
【０００３】
ホログラフィーの生成における実際の三次元物体に基づくよりもむしろ、ホログラフィーを生成するために使用される表面上の光強度または位相差として符号化された固有の深さの感覚信号を有する多重平面の二次元の物体に基づく電子ホログラフィー法を使用することも知られている。
【０００４】
干渉計から由来する表示ホログラフィーは、ホログラフィーを記録し、再生するためにハロゲン化銀の様な材料が必要である。広い視野を得るためには、１０ｎｍほどの解像度を有することが望ましい。この解像度は、高忠実性と、色が記録され、正確に再生されることを可能にする。
【０００５】
二次元物体ホログラフィー法により、静的よりむしろ動的物体を生成することが望ましいと認識されてきた。これは、ホログラフィー記録材料を、或る形の電子的にアドレス指定可能な空間光変調器と、単に置き換えることによって可能である。これらは、画素と呼ばれる、電子的にアドレス指定可能な光変調器要素の二次元配列から成っている。
【０００６】
しかし、従来の空間光変調器は種々の技法により製作されるが、これら変調器はすべて多くの問題の影響を受けるので、上記の望まれる目的は諸問題に遭遇する。従来の空間光変調器は、望ましい視野を得るために必要であるサブミクロンの画素を得る可能性を有していない。そのほかに、それは、潜像ホログラムに一般に見られる画素数を提供しない。少ない画素数による低解像度は、単に現時点の技術の限界が原因となっている。音響光学変調器と受動的なアドレス指定可能な強誘電性液晶変調器を使用する先端的光学系においてさえも、、画素の最大数は多くの理由により制約される。音響光学装置は、一般に数百ＭＨｚである音響光学変調器の変調帯域により制約される。液晶装置は、非常に複雑な表示器の製造能力によっているが、現在、３０００×２０００画素が達成されている。
【０００７】
従って、表示用及びホログラフィク用に使用することのできる動的画像を提供するために、電子的にアドレス指定可能な変調器を使用することが望ましい。従って、本発明は、上述の欠点を少なくとも低減することを目的とする。
【０００８】
本発明により、光源；光源の光路に位置し、関連のアドレス指定フレーム速度を有する第一空間光変調器手段；変調器の光をガイドする第一空間光変調器からの光の光路にある中継光学手段；および中継光学手段からガイドされた光の光路に位置し、関連アドレス読出フレーム速度を有し、且つ、表示用実画像を生成する様に配列された第二空間光変調器から構成され、第一空間変調器の更新フレーム速度が、第二空間光変調器の読出フレーム速度より大きい、表示用動的パターン発生装置が提供される。
【０００９】
これにより、第二空間光変調器手段において画像が生成されることが可能になり、第二空間光変調器は、第一空間光変調器の動作により効果的に支配されるように、第一空間光変調器より遥かに遅いアドレス指定速度で動作する。これは、高フレーム速度の空間光変調器に使用される一時的情報の間のトレードオフを可能にし、これにより、低フレーム速度において動作する高い複雑度の光学系を得ることが出来る。ここに使用される用語”複雑度”は空間光変調器に表示することが出来る画素数に相当することは、本技術の習熟者には明白であろう。
【００１０】
好適に、第二空間光変調器は、光学的にアドレス指定可能な空間光変調器から成っている。光学的にアドレス指定される空間光変調器の使用により、画素の格子により形成された能動的スクリーンが独立してアクセス指定可能なセグメントに分割されることが可能になる。
【００１１】
追加的に、または代替的に、第一空間光変調器手段は、光源から複数の変調された光源を中継光学手段へ生成するように配列することが出来る。この場合、第一空間光変調器は、光学系内で連続使用の複数のパターンを提供するために使用することが出来る。
【００１２】
追加的に、または代替的に、第一空間光変調器は、複数の空間光変調器から構成するが出来る。これは、複数の画像を生成する他の方法を可能にする。
【００１３】
第一空間光変調器は、電気的にアドレス指定可能であることも出来る。これは高速の動的画像が生成されることを可能にする。
【００１４】
好適には、中継光学手段は、変調された光を第一空間光変調器から第二空間光変調器へ所定のパターンでガイドする。代替的に、中継光学手段は、これによりガイドされる光の位相または偏光を変調することが出来る。このことは、中継光学手段による所定のガイド／変調を可能にする。中継光学手段は、一つのレンズ手段、または独立した複数のレンズの列、またはビームスプリッター、またはシャドーマスク、またはホログラフィー光学要素から成ることが出来る。代替的、中継光学手段は、回折列要素またはホログラフィー列要素などの回折列発生器から構成することが出来る。
【００１５】
第一空間光変調器手段の複雑度は、第二空間光変調器手段の複雑度より小さくすることができる。このことは、例えば、反復画像が第二空間光変調器手段に生成されることを可能にする。好適な実施態様において、第一空間光変調器手段からの変調光は、中継光学手段により第二空間光変調器手段において複製することができる。さらに、変調光の複製は、複数の画像から成ることができる。有用に、中継光学手段は、複製された変調光を第二空間光変調器の所定の部分へガイドする。この場合、中継光学手段は、第一空間光変調器により提供されたパターンを第二空間光変調器で再生することが出来る。
【００１６】
好適には、第二空間光変調器手段は、強誘電性液晶の光変調器から成っている。さらに、光源は非コヒーレントの光源であることも出来る。光源は有用に点光源である。幾つかの状況において、光源は、複数の独立した光源で、それが、色付きまたは色が連続して変化する光源であってもよい。液晶の光変調器は、それ自体光源として働くことも出来る。
【００１７】
本発明の第二の側面に従うと、光源を備え、この光源を関連した指定フレーム速度を有する第一空間光変調器手段を通過させ；変調光の光路に配置された中継光学手段により変調された光を、第一空間光変調器の関連更新フレーム速度より低い関連読出フレーム速度を有する第二空間光変調器手段にガイドし；実画像又はパターンを第二空間光変調器手段から生成することを含む表示用の動的画像を生成する方法が提供されている。
【００１８】
本発明が、例示のためのみに、添付図面を参照して、説明される。
【００１９】
最初に図１に関し、多くの空間光変調器からの光を光学的に組み換える既知の装置が示されている。レーザー光源２は、レンズ４を通り平行化されたビームを複数のビームスプリッター６と鏡８を通過させ、空間光変調器１０へ送り、次ぎに、光は最終焦点レンズ１２を通り、既知の方法によりホログラフィー像１４を生成する。この様な装置が、高い複雑度で高解像度のホログラフィー像を再生することが出来るために、空間光変調器（ここではＳＬＭと呼ぶ）１０からの光は、光学的に組み換えられることが必要である。当業者は、ここに使用された用語”複雑度”がＳＬＭ格子内の画素数に相当することを理解されるであろう。図１に示された例は、光学系の固有な平行性を利用している。さらに、発生したホログラフィー像に使用できる複雑度は、使用されたＳＬＭの数に比例して増加する。
【００２０】
図２に関し、光源、ここでは非コヒーレント光源１６を使用して、一連の第一空間光変調器手段、この例では、電気的にアドレス指定される液晶（ＬＣ）変調器１８により変調光を発生するために、より簡単で且つ空間を占有しない構成が採用されている。液晶変調器１８により変調された光２０は、次ぎに、中継光学手段、この例では、レンズ列２２を経て進行する。レンズ列２２は凸レンズであり、変調された光を第二空間光変調器手段に、この例では、光学的にアドレス指定されるＳＬＭ２４に焦点を結ばせる働きをすることがわかる。図２の右側において、光学的にアドレス指定されるＳＬＭ２４の右の表面に、ホログラフィー像を既知の方法で生成するために使用されるパターンが形成される。図において、これは、”コヒーレント再生”と呼ばれ、当業者は、これが、光学的にアドレス指定されるＳＬＭ２４の実像の面に入射するコヒーレントレーザー光に相当し、これがホログラフィー像を従来の方法で生成することがわかるであろう。
【００２１】
この例における非拡大光学系の使用が、ＳＬＭの各画素の有効ピッチを減少するために採用されており、データが、幾つかの発光源、即ちか、ＬＣ復調器１８から光学的にアドレス指定されるＳＬＭ２４へ平行に投影されるので、変調器１８，２４には余分なフレーム速度が必要でない。従って、この方法において、光学的にアドレス指定されるＳＬＭ２４のアドレス指定フレーム速度よりかなり高いアドレス指定フレーム速度で作動するＬＣ変調器１８は、ホログラフィーの目的に適した実像を光学的にアドレス指定されるＳＬＭ２４に提供することが出来る。この例において、ＬＣ変調器１８は、シリコン素子上の能動背面液晶から構成されており、この液晶は、１ｋＨｚ以上のフレーム速度の３２０×２４０画素の複雑度を有する。光学的にアドレス指定されるＳＬＭ２４は、反射性液晶層にかかる電圧を変調するアモルファスシリコン感光層であり、この例では、５０Ｈｚのあどれす指定フレーム速度を有する。
【００２２】
この例において、光源はコンピュータにより生成された二次元位相または振幅パターンであるか、あるいは、それは実際に、電気的にアドレス指定されるＳＬＭ自身である。実際に、光源がＬＣ変調器１８であることさえも可能である。
【００２３】
さらにここで図３に関し、非コヒーレント光源１６とＬＣ変調器１８はそのまま残っているが、レンズ列２２が別の中継光学手段に置き換えられており、単一の焦点レンズ２６を有する。再度、図２と同様に、この様な光学系の利点は、非コヒーレント光がＬＣ変調器１８から光学的にあどれす指定されるＳＬＭ２４への画像の複製に使用されることである。本技術に共通のＳＬＭ２４の光学的平坦性の許容度、ＳＬＭ２４が平面上に指向されなければならない精度、および光学系の投影路における全ての光学構成要素の位置の許容度が、図１の例の光学系の場合より非常に低いことを意味している。
【００２４】
ここで図４，５および６に関し、これらの例が、単一のＬＣ変調器１８を使用しているが、他の形態の中継光学手段を有して示されていることがわかる。図４の例において、中継光学手段が、レンズ列２２に到達する前の、変調光２０の進路上のシャッター列２８から成っている。これらの例において、光学的にアドレス指定されるＳＬＭ２４は、強誘電タイプであり、これにより、高速度の使用が可能である。これはこれらの例において、非コヒーレント光源１６からＬＣ変調器１８、シャッター列２８、およびレンズ列２２を経て光学的にアドレス指定されるＳＬＭ２４の異なる部分へ、データを連続時間フレームで投射することにより活用されている。従って、データの全パターンは、光学的にアドレス指定されるＳＬＭ２４の複雑度に等しい画素数のフレームに分割される。ＬＣ変調器１８が“ｎ”個の画素を有し、かつ、表示される全パターンが“ｍ”個の画素を有するならば、“ｍ”個のパターンを作る“ｎ”個の画素のフレーム数は、（ｍ／ｎ）であることは、当業者には分かるであろう。これらのフレームは、時系列的に光学的にアドレス指定されるＳＬＭ２４へ表示され、各フレームは光学的にアドレス指定されるＳＬＭ２４と異なる部分へ投射され、全画像パターンが時間経過で作成される様に蓄積される。この技法は、当業者には知られており、例えば、普通のテレビジョン表示スクリーンとして使用されたラスター走査とあまり異ならない。シャッター列２８の使用は、上述の動作を既知の方法で可能とする回路により制御される。実際に、レンズ列２２の複数のレンズは、それぞれ、それに入射する変調光２０を、光学的にアドレス指定されるＳＬＭ２４の異なる部分に映像する。パターンがＬＣ変調器１８を経て変化すると、シャッター列２８の開くシャッターの位置も変化する。列２８の異なるシャッター位置の開放と同期化されるＬＣ変調器１８上の連続した異なるパターンを循環することにより、大きなパターンが光学的にアドレス指定されるＳＬＭ２４の上に形成される。このシャッターは、適切な位相板または切り換え可能な偏光板に同等に置き換えられる。非コヒーレント光源１６が直線偏光を有するように構成され、かつ、レンズ列２２と光学的にアドレス指定されるＳＬＭ２４との間に好適に配向された偏光板があるならば、光は、半波板として働くように切り換えられた位相板列内の要素により阻止される。切り換え可能な偏光板の列もまた、もう一つの偏光板を必要とせずに、同じような構成に使用することが出来る。
【００２５】
図５に示された例において、図４のシャッター列２８は、切り換え可能なビーム操縦器３０に置き換えられる。図に示されたビーム操縦器は、一般的構造の切り換え可能な回折格子、例えば、ホトレジストまたは表面レリーフで形成された格子を有するネマチック状液晶セルであり、この格子は、切り換えられない配向の液晶と指針が一致するが、電界により切り換えられるときは一致しない。当業者は、この技術に精通しているので、ここでは詳しく記述しない。代替的に、ビーム操縦器３０は、切り換え可能または再構成可能なフレネルレンズレット列と組み合わせられたか、または置き換えられたレンズレット列を有するタイプであってもよい。
【００２６】
図６は、ピンホール列３４を通るように、変調光２０を選択的に焦点合わせする切り換え可能なレンズ列３２を使用している。この例では、切り換えられたレンズ列３２からの光は、焦点においてピンホール３４を通過し、レンズ列２２を経て光学的にアドレス指定されるＳＬＭ２４へ再映像される。入射した変調光が焦点に結ばれない列３２内の切り換えられないレンズの場合、光の僅かな部分だけが、ピンホール列３４を通る。直線偏光板と組み合わされた光の一つの偏光に働くだけであるレンズ列３２もまた、ここで可能である。
【００２７】
図７に関し、この実施態様において、光学的にアドレス指定されるＳＬＭ２４が、レンズ列２２から一連の画素化された電極３６を経た光を受光する光学的前面を有することがわかる。この例において、光学的にアドレス指定されるＳＬＭ２４中の光変調層は、強誘電液晶表示板如くの双安定であるように配列されているので、電圧が光学的にアドレス指定されるＳＬＭ２４の特定の領域を横切ってに加えられると、パターンが、この層に書き込まれる。電圧が除去されたときもそのまま残る。パターンが時間的に連続してＬＣ変調器１８に表示されると、電圧が、これと同期化して、光学的にアドレス指定されるＳＬＭ２４の異なる領域を活動状態とするために加えられる。
【００２８】
図８に示された例に関し、ここでは、光源がコヒーレント光源３８である。この例は、切り換え可能な光学的構成要素を必要としない。コヒーレント光源３８からＬＣ変調器１８へ時系列的に表示されたパターンは、例えば、それ自体ホログラムである。光学的にアドレス指定されるＳＬＭ２４へ投射されたとき、これらが必要なパターンを与えるように計算される。基本的に、光学的にアドレス指定されるＳＬＭ２４は、画素化された電極３６を有する必要はないが、実際には、これはｄｃ構成要素および望ましくない回折スポットを除去するために必要とされる。
【００２９】
図９は図７の光学系を示しているが、見取り図であって構成図でない。ここで、光源１６からの光が最初にＬＣ変調器１８を経て進行し、次ぎにレンズ列２２（シャッター列２８が視野から隠れている）を通り、最後に光学的に指定されるＳＬＭ２４に達することがわかる。ここで、再び、全ての実施の形態に共通して、ＬＣ変調器１８の画像は、比較的速い速度で更新できる。中継光学手段、ここでは、レンズ列２２とシャッター列２８が、ＬＣ変調器１８に形成された像を光学的にアドレス指定されるＳＬＭ２４の列の入力光感光層上に複製する。ＳＬＭ２４の大きさは中継光学手段により決定される。これは、列２２の各レンズがＬＣ変調器１８の特有な像を形成するからである。像の拡大もまた、中継光学系で発生する。
【００３０】
これらの例において、光学的にアドレス指定されるＳＬＭ２４は双安定（強誘電性液晶の如く）であるので、光学的にアドレス指定されるＳＬＭ２４の図９にＡ〜Ｉでラベル付けされた各セグメントは、セグメントを覆っている電極へ電圧をかけることにより、像を連続的にロードする。一つ以上のセグメントを一システムクロック中にロードすることができる。その時間に印加電圧を有していないセグメントは、読み出しのために像を更新しない。ＬＣ１８変調器１８が像を更新すると、この像もまた光学的にアドレス指定されるＳＬＭ２４へ選択的にロードされる。この方法で、複雑な像が形成される。像が光学的にアドレス指定されるＳＬＭ２４に完成すると、これは図に示されたコヒーレント再生により読み出される。ＬＣ変調器１８の指定フレーム速度が、光学的にアドレス指定されるＳＬＭ２４のフレーム速度よりかなり大きいので、ＬＣ変調器１８で可能な高いフレーム速度の、媒質の複雑度の情報は、光学的にアドレス指定されるＳＬＭ２４の高複雑度の媒質のフレーム速度へ効果的に移される。
【００３１】
図１０に関し、本発明の好適な基礎的実施態様が示されている。アルゴンレーザー４２は光源を備えており、そこからの光は、回転拡散器４６を経て鏡４４から反射する。拡散器４６の目的は、光が最早点光源の特性を有していないように、レーザー４２からの光線を拡散することである。拡散器４６からの拡散光４８は、第一の空間変調器、ここではコンピュータ制御の液晶マトリックス５４に入射するように、もう一つの鏡５０により、反射され、次に開口拡散器５２を通り進行する。マトリックス５４のアドレス指定制御器は示されていないが、これは当業者には容易に理解されるであろう。しかし、アドレス指定線が５６で示されている。
【００３２】
次ぎに、マトリックス５４を通り、それによって、変調光は、凸レンズ６０を通過し、これにより平行光線になる。ここから、光はシャッター６２を経て、中継光源手段へ、この例ではレンズレット列６４へ進む。この例において、列の各レンズレットが、光が通過する第二空間光変調器のセグメントと関係づけられるように、レンズレット列６４は、二次元格子として配列されている。この例では、第二空間光変調器手段は、パルス発生器２０の制御を受けて既知の方法で動作する光学的にアドレス指定される空間光変調器６８である。
【００３３】
７２において、マトリックス５４からの縮小された複製像が、再生される。前の例のように、マトリックス５４のアドレス指定フレーム速度が１ｋＨｚであり、変調器６８のフレーム速度が５０Ｈｚであるので、アドレス指定フレーム速度に、２０倍の差が得られる。本発明は、４倍〜１０００倍以上の差を有する有用性を備えているものと確信される。
【００３４】
次ぎに、変調器６８の光学的出力が従来の方法で使用されて、ヘリウムーネオン・レーザー７４とビームスプリッター７６を使用してホログラフィーディスプレイを提供し、物体（すなわち、マトリックス５４）のホログラフィー像を生成する。この像はカメラ７８により見ることが出来る。
【００３５】
全ての上記例において、ホログラフィー以外の光学的映像が可能である。コヒーレントまたは非コヒーレントのいかなる光源も十分に使用できる。また、色光源（色が連続して変化する光源さえ）使用することが可能である。さらに、中継光学手段は、それ自体、回折性要素列またはホログラフィー要素列などの回折性列の発生器から構成されている。実際に、中継光学手段は光学的でなくともよい。例えば、電子ビーム送り装置が使用できる。言うまでもないが、中継光学手段からの入力と出力はそれ自体光学的である。
【００３６】
図１１は、図１０の実施態様の機能を示している。ディジタル入力／出力インタフェース８０を有する制御ＰＣまたは他のコンピュータは、全光学系の動作を制御するように働く。画像同期化信号８２が、データフレームの記憶装置を有するインタフェース８４へ送られる。インタフェース８４は、動作信号をマトリックス５４へ送るように、ＰＣと接続している。
【００３７】
制御コンピュータ８０はまた、アルゴンレーザー４２（物体を生成するために使用される）とヘリウムーネオン・レーザー７４（ホログラフィー像を生成するために使用される）の動作を制御する。コンピュータＰＣ８０は各平行な通信バス８６と８８を通じて動作して、シャッター６２と光学的にアドレス指定される空間光変調器６８の動作をそれぞれ制御する。シャッタードライブモジュール６２と光学的にアドレス指定された空間光変調器のドライブモジュール６８のそれぞれは、それら自身の平行なデータ出力９０，９２をそれぞれ有し、従って、シャッター列と光学的にアドレス指定される空間光変調器は、それぞれアドレス指定される。
【００３８】
上記説明において、中継光学手段が光をガイドすると言われているが、この手段がそれに入射した光の位相を同様に良く変調することは、本技術の習熟者には理解されるであろう。さらに、幾つかの上記実施例では、ビームスプリッタが使用されたが、同様に、ビーム操縦器も使用すことが出来ることも理解されるであろう。
【図面の簡単な説明】
【図１】  複数の空間光変調器からのデータの光学的組み替えの既知の装置を示す。
【図２】  本発明の第一実施の形態の構成を示す。
【図３】  本発明の第二実施の形態の構成を示す。
【図４】  本発明の第三実施の形態の構成を示す。
【図５】  本発明の第四実施の形態の構成を示す。
【図６】  本発明の第五実施の形態を構成を示す。
【図７】  本発明の第六実施の形態の構成を示す。
【図８】  本発明の第七実施の形態の構成を示す。
【図９】  本発明の第八実施の形態の見取り図を示す。
【図１０】  本発明の好適な基本的実施の形態の構成を示す。
【図１１】  図１０の好適な実施の形態の特徴のある部分の機能図を示
【図１】
0005069824.tif 000002
【図２】
0005069824.tif 000003
【図３】
0005069824.tif 000004
【図４】
0005069824.tif 000005
【図５】
0005069824.tif 000006
【図６】
0005069824.tif 000007
【図７】
0005069824.tif 000008
【図８】
0005069824.tif 000009
【図９】
0005069824.tif 000010
【図１０】
0005069824.tif 000011
【図１１】
0005069824.tif 000012